(57)【要約】【課題】  画像情報に対応した凹凸を任意に調整することができる画像成型用紙材を得る。【解決手段】  ＪＩＳ  Ｐ  ８１１３に規定の破断伸びが縦方向１０％以上、横方向１０％以上を有する伸張紙をベースとし、少なくとも一方の面に様々な文字・画像情報に同調した形状に任意な凹凸をつけることを可能とした。【選択図】  図１
2004308100.tif 000002
【特許請求の範囲】
【請求項１】
ＪＩＳ  Ｐ  ８１１３に規定の破断伸びが縦方向１０％以上、横方向１０％以上を有する伸張紙をベースとし、少なくとも一方の面に様々な文字・画像情報に同調した形状に任意な凹凸をつけることを可能とすることを特徴とする画像成型用紙材。
【請求項２】
ＪＩＳ  Ｐ  ８１１３に規定の破断伸びが縦方向１０％以上、横方向１０％以上を有する伸張紙の原料が天然パルプ１００％から成り、坪量が５０ｇ／ｍ２〜３００ｇ／ｍ２の範囲にあることを特徴とする請求項１に記載の画像成型用紙材。
【請求項３】
ＪＩＳ  Ｐ  ８１１３に規定の破断伸びが縦方向１０％以上、横方向１０％以上を有する伸張紙の少なくとも片方の面に、１層以上の樹脂層が設けられていることを特徴とする請求項１又は２に記載の画像成型用紙材。
【請求項４】
少なくとも一方の面に様々な文字・画像情報パターンが表示された請求項１，２又は３に記載の画像成型用紙材の文字・画像情報に同調した形状に凹凸がつけられたことを特徴とする画像成型物。
【請求項５】
請求項１，２又は３に記載の画像成型用紙材を用いて所望の形状に凹凸をつけ、得られた凹凸形状に同調した任意の模様、色をつけたことを特徴とする画像成型物。
【請求項６】
前記請求項４又は５に記載の画像成型物にあって、画像成型物の表面積と情報パターンの面積との比が１０５％以上であることを特徴とする画像成型物。
【請求項７】
請求項４，５又は６に記載した画像成型物を少なくとも２つ以上を組み合わせたことを特徴とする画像成型物。
【請求項８】
ＪＩＳ  Ｐ  ８１１３に規定の破断伸びが縦方向１０％以上、横方向１０％以上を有する伸張紙をベースとした画像成型用紙材に、少なくとも一方の面に文字・画像情報パターンを表示し、該文字・画像情報パターンに同調した形状に凹凸をつけることを特徴とする画像成型物の製造方法。
【請求項９】
ＪＩＳ  Ｐ  ８１１３に規定の破断伸びが縦方向１０％以上、横方向１０％以上を有する伸張紙をベースとした画像成型用紙材に、所望の形状に凹凸をつけ、得られた凹凸形状に同調した任意の模様、色をつけることを特徴とする画像成型物の製造方法。
【発明の詳細な説明】
【技術分野】
【０００１】
本発明は様々な絵、文字、図などを表示して、その画像・情報の表示に同調した形状に任意に凹凸をつけて立体的な造形物を得ることができる画像成型用紙材及び画像成型用紙材を用いて立体化した画像成型物及び画像成型物の製造方法に関する。詳しくはレリーフ、地図、絵本、玩具、造花、模型、写真、マーク、看板、絵画、お面、キャラクター像、表示体等、従来は平面的に表現していた物を立体的に表現した画像成型物に関する。
【背景技術】
【０００２】
従来から立体的に表現した画像成型物としてお面、看板、造花、地図などが知られている。このように様々な文字・画像の情報パターンを表示してその文字・画像情報に同調した形状に任意に凹凸をつけ、３次元曲面に立体化した成型物は既に実施されているが用いられる素材はその殆どがプラスチックや金属板から成るものであった（例えば、特許文献１参照。）。その理由は３次元曲面に立体化するにはプラスチックや金属板の様に素材そのものが所望の形状に追随して伸びる特性が必要であるからである。
【０００３】
言い換えると従来の天然パルプを用いた紙基材はプラスチック基材と比較して伸び特性が本質的に劣るため複雑な形状に成型することができなく、立体的に表現する画像成型物の成型素材としては適さないものとされていた。
【特許文献１】特開平９−２９１４０８号公報
【発明の開示】
【発明が解決しようとする課題】
【０００４】
上記のように、立体的に表現する画像成型物の成型素材として、その殆どがプラスチックや金属板が使用されているが、昨今の廃棄物による環境への配慮からプラスチックや金属板が敬遠され、天然物由来の材料が望まれている。
【０００５】
従来から、伸び特性を付与した紙基材は存在しており、この紙基材としてはクレープ紙やクルパック紙が知られているが、両者とも縦方向のみの伸び特性のため三次元曲面に成型することはできない。従って、個人的な趣味で画像を立体的に表現した成型物を作成するにも、また、一般的なプラスチック成型機を用いて工業的に画像を立体化するにも困難であり、画像成型物の成型素材としては使用されていない。
【０００６】
本発明の目的とするところは、画像情報に対応した凹凸を任意に調整することができる画像成型用紙材及び画像成型用紙材を用いて容易に立体化できる画像成型物及び画像成型物の製造方法を提供することにある。
【課題を解決するための手段】
【０００７】
本発明者等は上記目的を達成すべく鋭意検討した結果、ＪＩＳ  Ｐ  ８１１３に規定の破断伸びが縦方向１０％以上、横方向１０％以上を有する伸張紙を使用することに着目し、本発明を完成するに至った。
【０００８】
請求項１に記載の発明に係る画像成型用紙材は、ＪＩＳ  Ｐ  ８１１３に規定の破断伸びが縦方向１０％以上、横方向１０％以上を有する伸張紙をベースとし、少なくとも一方の面に様々な文字・画像情報に同調した形状に任意な凹凸をつけることを可能とすることを特徴とする。
【０００９】
かかる構成から、画像成型用紙材の一面からプレス等により押圧を加えると、押圧された部分が伸び、その表面に様々な文字・画像の情報に同調した形状に任意に凹凸をつけることが可能なので、立体的に表現した画像成型物の素材として用いることができ、ベースとなる伸張紙は、ＪＩＳ  Ｐ  ８１１３に規定の破断伸びが縦方向１０％以上、横方向１０％以上を有するので、成型物の形状が制限されず、破断・亀裂の発生がない複雑な成型物を得ることができる。更には、前記画像成型用紙材を用いた画像成型物の廃棄処理には、プラスチックや金属のような環境汚染等の問題は生じない。
【００１０】
請求項２に記載の発明に係る画像成型用紙材は、請求項１に記載の、前記ＪＩＳ  Ｐ  ８１１３に規定の破断伸びが縦方向１０％以上、横方向１０％以上を有する伸張紙の原料が天然パルプ１００％から成り、坪量が５０ｇ／ｍ２〜３００ｇ／ｍ２の範囲にあることを特徴とする。
【００１１】
かかる構成から、強度が充分であり画像情報に対応した凹凸を任意に調整するときに破断が起きることが無く、また、画像情報に対応した凹凸を任意に調整するときの応力が高くなることも無い。
【００１２】
請求項３に記載の発明に係る画像成型用紙材は、請求項１又は２に記載の、前記ＪＩＳ  Ｐ  ８１１３に規定の破断伸びが縦方向１０％以上、横方向１０％以上を有する伸張紙の少なくとも片方の面に、１層以上の樹脂層が設けられていることを特徴とする。
【００１３】
かかる構成から、画像成型用紙材に耐水性を付与することができ、かかる耐水性を有する画像成型用紙材を成型することにより、耐水性が必要となる用途に用いられる画像成型物を得ることができる。
【００１４】
請求項４に記載の発明に係る画像成型物は、少なくとも一方の面に様々な文字・画像情報パターンが表示された前記請求項１，２又は３に記載の画像成型用紙材の文字・画像情報に同調した形状に凹凸がつけられたことを特徴とする。
【００１５】
かかる構成から、成型にあっては、特別な機械器具を使用することなく、棒のようなものがあれば、少なくとも一方の面に表示された様々な文字・画像情報パターンに同調した形状に誰もが容易に成型することができる。また、かかる画像成型物は、従来のプラスチックや金属を素材とする立体化した画像成型物では対応できなかった用途への対応が可能となり、更には、素材が紙なので廃棄の際、プラスチックや金属のような環境汚染等の問題は生じない。
【００１６】
請求項５に記載の発明に係る画像成型物は、前記請求項１，２又は３に記載の画像成型用紙材を用いて所望の形状に凹凸をつけ、得られた凹凸形状に同調した任意の模様、色をつけたことを特徴とする。
【００１７】
かかる構成から、成型にあっては、特別な機械器具を使用することなく、棒のようなものがあれば、誰もが容易に所望の形状の凹凸をつけ、これに任意の模様や色をつけて成型することができる。また、かかる画像成型物は、従来のプラスチックや金属を素材とする立体化した画像成型物では対応できなかった用途への対応が可能となり、更には、素材が紙なので廃棄の際、プラスチックや金属のような環境汚染等の問題は生じない。
【００１８】
請求項６に記載の発明に係る画像成型物は、前記請求項４又は５に記載の画像成型物にあって、画像成型物の表面積と情報パターンの面積との比が１０５％以上であることを特徴とする。
【００１９】
かかる構成から、迫力のある立体画像を有する画像成型物を得ることができる。
【００２０】
請求項７に記載の発明に係る画像成型物は、前記請求項４，５又は６に記載した画像成型物を少なくとも２つ以上を組み合わせたことを特徴とする。
【００２１】
かかる構成から、得られた画像成型物は、画像表現が豊かになり、例えば、ディスプレー等に最適である。
【００２２】
請求項８に記載の発明に係る画像成型物の製造方法は、ＪＩＳ  Ｐ  ８１１３に規定の破断伸びが縦方向１０％以上、横方向１０％以上を有する伸張紙をベースとした画像成型用紙材に、少なくとも一方の面に文字・画像情報パターンを表示し、該文字・画像情報パターンに同調した形状に凹凸をつけることを特徴とする。
【００２３】
かかる構成から、立体化した画像成型物を特別な機械器具を使用することなく、棒のようなものがあれば、誰もが容易に製造することができる。
【００２４】
請求項９に記載の発明に係る画像成型物の製造方法は、ＪＩＳ  Ｐ  ８１１３に規定の破断伸びが縦方向１０％以上、横方向１０％以上を有する伸張紙をベースとした画像成型用紙材に、所望の形状に凹凸をつけ、得られた凹凸形状に同調した任意の模様、色をつけることを特徴とする。
【００２５】
かかる構成から、特別な機械器具を使用することなく、着色材料と棒のようなものがあれば、誰もが自由な発想で自分の望むところの画像成型物を容易に製造することができる。
【発明の効果】
【００２６】
以上のように本発明に係る画像成型用紙材は、破断伸びが縦方向１０％以上、横方向１０％以上を有する伸張紙をベースとし、少なくとも一方の面に様々な文字・画像情報パターンを表示してその文字・画像情報に同調した形状に任意な凹凸をつけることを可能とするので、画像成型用紙材の一面からプレス等により押圧を加えると、押圧された部分が伸び、その表面に様々な文字・画像の情報に同調した形状に任意に凹凸をつけることができることから、立体的に表現した画像成型物の素材として用いることができ、ベースとなる伸張紙の破断伸びが縦方向１０％以上、横方向１０％以上を有するので、成型物の形状が制限されず、破断・亀裂の発生がない複雑な成型物を得ることができる。更には、前記画像成型用紙材を用いた画像成型物の廃棄処理には、プラスチックや金属のような環境汚染等の問題は生じない。
【００２７】
本発明に係る画像成型用紙材を用いて立体化した画像成型物は、少なくとも一方の面に様々な文字・画像情報パターンが表示された前記画像成型用紙材の文字・画像情報に同調した形状に凹凸がつけられて得られ、或いはまた、前記画像成型用紙材に所望の形状に凹凸がつけられ、この凹凸形状に同調した任意の模様、色がつけられて得られるので、成型にあっては、特別な機械器具を使用することなく、棒のようなものがあれば、少なくとも一方の面に表示された様々な文字・画像情報パターンに同調した形状に誰もが容易に成型することができ、また、従来のプラスチックや金属を素材とする立体化した画像成型物では対応できなかった用途への対応が可能となり、更には、素材が紙なので廃棄の際、プラスチックや金属のような環境汚染等の問題は生じない。
【００２８】
本発明に係る画像成型物の製造方法は、破断伸びが縦方向１０％以上、横方向１０％以上を有する伸張紙をベースとした画像成型用紙材に、少なくとも一方の面に文字・画像情報パターンを表示し、該文字・画像情報パターンに同調した形状に凹凸をつける、或いは破断伸びが縦方向１０％以上、横方向１０％以上を有する伸張紙をベースとした画像成型用紙材に、所望の形状に凹凸をつけ、得られた凹凸形状に同調した任意の模様、色をつけるようにしたので、立体化した画像成型物を特別な機械器具を使用することなく、棒のようなものがあれば、誰もが容易に製造することとができる。
【発明を実施するための最良の形態】
【００２９】
以下本発明に係る画像成型用紙材及び画像成型物及び画像成型物の製造方法を実施するための最良の形態の一例を説明する。
【００３０】
先ず、画像成型用紙材の実施の形態を説明する。本例のベースとなる伸張紙は、ＪＩＳ  Ｐ  ８１１３に規定の破断伸びが縦方向１０％以上、横方向１０％以上を有する。
【００３１】
このような伸張紙の例としては、クルパック処理、クレープ処理等によって高い伸び特性を付与した伸張紙が挙げられる。特に、特表平１１−５０９２７６号公報に開示されているような、硬い物質から成りその表面に周方向にリブを有し、もう一方より早い速度で回転する硬質ロールと、軟らかい物質から成り平滑な表面を有し、もう一方より遅い速度で回転する軟質ロールからなる一組のロール間で湿紙を収縮処理して得られる伸張紙、あるいは特開２００４−３０７１号公報に開示されているような、ロール周面に周方向に沿った溝をロール幅方向に所定の間隔をあけて設けた硬質ロールとロール周面が平坦な軟質ロールとからなる一対のプレスロールを備え、加圧下で前記硬質ロールの周速度に対して前記軟質ロールの周速度を遅く（好ましくは、硬質ロールの周速度１に対して軟質ロールの周速度を０．９５〜０．５）して回転するようにした収縮付与装置に、紙中水分が２０％〜５０％の紙シートを通紙して該紙シートに収縮を与え、その後に乾燥して得られる伸張紙を使用することが好ましい。
【００３２】
本発明で使用する伸張紙の坪量は、５０ｇ／ｍ２〜３００ｇ／ｍ２の範囲が好ましい。坪量が５０ｇ／ｍ２未満では強度が不充分で画像情報に対応した凹凸を任意に調整する時に破断が起こり好ましくない。また、坪量が３００ｇ／ｍ２を超えると画像情報に対応した凹凸を任意に調整する時の応力が高くなり好ましくない。
【００３３】
本発明で使用する伸張紙は、伸び特性等に影響を与えない範囲で合成繊維を含有してもよいが、天然パルプ１００％から成ることが好ましい。天然パルプとしては、針葉樹または広葉樹の木材繊維、楮、三椏などの靭皮繊維、バガス、ケナフなどの非木材繊維、木綿繊維、古紙など通常の製紙原料を使用することができるが、汎用性などから木材繊維の化学パルプ、機械パルプ、脱墨パルプ等を使用するのが好ましい。
【００３４】
本発明で使用する伸張紙は、印刷適性を向上させるために、伸び特性等に影響を与えない程度に平滑化処理してもよい。平滑化は、スーパーカレンダー処理、ソフトカレンダー処理等の紙の平滑化に通常使用される装置にて行えばよい。
【００３５】
また、成型される画像成型物の考えられる用途のうち、例えば、ポスターや看板のように屋外で掲示されることがあるものに使用されるような場合は、耐水性等を付与する目的で、伸張紙の片面あるいは両面に１層以上の樹脂層を設けたものを使用することができるが、この場合にもＪＩＳ  Ｐ  ８１１３に規定の破断伸びが縦横ともに１０％以上あることが必須である。
【００３６】
この場合、使用する樹脂としては、熱可塑性樹脂が好ましく、具体的には高密度ポリエチレン（ＨＤＰＥ）、低密度ポリエチレン（ＬＤＰＥ）、直鎖状低密度ポリエチレン（ＬＬＤＰＥ）、シングルサイト系直鎖状低密度ポリエチレン（シングルサイト系触媒を用いて合成された直鎖状低密度ポリエチレン（ＳＳ−ＬＬＤＰＥ）、ランダムポリプロピレン、ホモポリプロピレンといったポリオレフィン系樹脂、ポリエステル系樹脂、ポリスチレン系樹脂等が例示される。
【００３７】
樹脂を設ける手段としては、押出しコーティングラミネーション、ウェットラミネーション、ドライラミネーション等、一般的な方法が用いられる。一般に紙基材の上に樹脂層を設けたものは、燃焼時の環境への負荷が小さいことが知られており、その為、このように樹脂層を設けた画像成型物についても天然パルプ１００％のものと同様に環境への負荷は小さい。
【００３８】
伸張紙をベースとした画像成型用紙材には、様々な絵、写真、文字、図等の画像情報を手書き、印刷、複写等、一般的な方法により表示する。
【００３９】
伸張紙をベースとした画像成型用紙材のうち、伸張紙上に樹脂層を設けたものにおいては、伸張紙に樹脂層と画像情報を設ける順番はどのようなものであってもよい。すなわち、伸張紙に樹脂層を積層する前に予め画像情報を設けておいてもよいし、伸張紙に樹脂層を積層後に画像情報を設けてもよいし、あるいは画像情報を設けたフィルムをウェットラミネーション等で伸張紙に貼合してもよい。ただし、どの方法であっても、画像情報の表示の方法自体は前述の一般的な方法を用いる。
【００４０】
前記ベースとなる伸張紙は、前記のようにＪＩＳ  Ｐ  ８１１３に規定の破断伸びが縦方向１０％以上、横方向１０％以上を有するものであって、１０％未満では成型時に破断・亀裂が発生して成型物の形状が制限され複雑な成型物を得ることができない。
【００４１】
上記の画像成型用紙材では、その一面からプレス等により押圧を加えると、押圧された部分が伸び、その表面に様々な文字・画像の情報に同調した形状に任意に凹凸をつけることが可能なので、立体的に表現した画像成型物の素材として用いることができ、ベースとなる伸張紙のＪＩＳ  Ｐ  ８１１３に規定の破断伸びが縦方向１０％以上、横方向１０％以上を有するので、成型物の形状が制限されず、破断・亀裂の発生がない複雑な成型物を得ることができる。
【００４２】
更には、画像成型用紙材には、様々な絵、写真、文字、図等の画像情報が手書き、印刷、複写等、一般的な方法で表示することができるので、予め様々な絵、写真、文字、図等の画像情報を表示しておくことにより、表示されている文字・画像の情報に同調して容易に凹凸をつけることができ、画像成型用紙材として便利なものとなる。
【００４３】
次に、画像成型用紙材を用いて立体化した画像成型物の実施の形態を説明する。本例の画像成型用紙材を用いて立体化した画像成型物は、少なくとも一方の面に様々な文字・画像情報パターンが表示された前記画像成型用紙材の文字・画像情報に同調した形状に凹凸がつけられている。
【００４４】
凹凸を付ける方法としては、従来プラスチックの成型に用いられている金型を有する成型機で該金型を画像情報に対応した形状にして機械的に成型する方法の他に、パーソナルユースとしては棒状物を人力によって立体的造形物に対応した形状に押し込んで成型する方法が使用できる。
【００４５】
また、前記画像成型用紙材を用いて立体化した画像成型物は、文字・画像情報パターンが表示されていない前記画像成型用紙材を用いて所望の形状に凹凸を付与し、得られた凹凸形状に同調した任意の模様、色をつけたものであってもよい。
【００４６】
また、前記画像成型物にあっては、画像成型物の表面積と情報パターンの面積との比が１０５％〜１５０％であることが好ましい。画像成型物の表面積と情報パターンの面積との比が１０５％未満では立体画像として迫力がなく、また、１５０％を超えると伸張紙の伸び不足によって亀裂・破断が頻発して成型物の外観不良となり好ましくない。
【００４７】
また、前記画像成型物は、複数の画像成型物を組合せた画像成型物にすることにより画像表現が豊かになる。この場合、組合せる画像成型物は同じ種類のものを２つ以上、あるいは異なる２種以上の画像成型物を用いてよい。これらを組合せる各々の画像成型物の製造方法は、一方の面に様々な文字・画像情報パターンが表示された前記画像成型用紙材の文字・画像情報に同調した形状に凹凸をつける方法、或いは、前記画像成型用紙材に所望の形状に凹凸を付与し、得られた凹凸形状に同調した任意の模様、色をつける方法によって製造されたものであれば、特に制限はない。すなわち、一方の面に様々な文字・画像情報パターンが表示された前記画像成型用紙材の文字・画像情報に同調した形状に凹凸がつけられた画像成型物を複数組み合わせてもよいし、画像成型用紙材に所望の形状に凹凸を付与し、得られた凹凸形状に同調した任意の模様、色をつけた画像成型物を複数組合せてもよい。また、文字・画像情報に同調した形状に凹凸がつけられた画像成型物と、凹凸形状に同調した任意の模様、色をつけた画像成型物とを複数組合せてもよい。このようにして得られた画像成型物は、画像表現が豊かになり、例えば、ディスプレー等に最適である。
【００４８】
次に、画像成型用紙材を用いて前記画像成型物の製造方法の実施の形態を説明する。本例の画像成型物の製造方法は、ＪＩＳ  Ｐ  ８１１３に規定の破断伸びが縦方向１０％以上、横方向１０％以上を有する伸張紙をベースとした画像成型用紙材に、少なくとも一方の面に文字・画像情報パターンを表示し、該文字・画像情報パターンに同調した形状に凹凸をつける。
【００４９】
他例として、ＪＩＳ  Ｐ  ８１１３に規定の破断伸びが縦方向１０％以上、横方向１０％以上を有する伸張紙をベースとした画像成型用紙材に、所望の形状に凹凸をつけ、得られた凹凸形状に同調した任意の模様、色をつけるようにしてもよい。
【００５０】
このようにすることにより、立体化した画像成型物を特別な機械器具を使用することなく、棒のようなものがあれば、誰もが容易に製造することができる。
【実施例】
【００５１】
以下、本発明を実施例によって詳しく説明するが本発明はこれによって限定されるものではない。
【００５２】
（実施例１）
画像成型用紙材のベースとなる伸張紙として、坪量１００ｇ／ｍ２、厚さ２６０μｍ、ＪＩＳ  Ｐ  ８１１３に規定の破断伸びが縦方向２６．２％、横方向１６．４％の紙（イタリヤ国カリオラーロ社製）を用いた。画像情報パターンは色鉛筆を用いて風景画（山と湖）をスケッチして得た。画像情報のうち山から湖畔にかけての部分を、伸張紙の画像を描写した面とは逆の面から、先端部が丸みのある直径５ｍｍ〜１５ｍｍの様々な木製の棒を用いて凸状になるように押し込み、立体化させた風景画を作成した。得られた画像成型物を図１〜図３に示す。図において、符号１で示す画像成型物の立体画像は破断や亀裂のない臨場感のある絵画となった。
【００５３】
（実施例２）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。画像情報パターンはオフセット印刷により鬼の顔面画を得た。その画像情報に対応した凹凸を雄型と雌型とから成る金型を備えたプラスチック成型用のプレス成型機で成型し、その顔面の輪郭で打抜きしたお面を得た。得られた画像成型物を図４〜図７に示す。図において、符号２で示す画像成型物のお面は従来のプラスチック成型品と遜色のない形状に仕上がり充分に三次元曲面に優れたお面であった。
【００５４】
（実施例３）
画像成型用紙材のベースとなる伸張紙として、坪量１００ｇ／ｍ２、厚さ２６０μｍ、ＪＩＳ  Ｐ  ８１１３に規定の破断伸びが縦方向２６．２％、横方向１６．４％の紙（イタリヤ国カリオラーロ社製）を用いた。画像情報パターンはオフセット印刷で山岳地図を得た。その山岳地図の等高線に同調した凹凸を有する雄型と雌型とから成る金型を備えたプラスチック成型用のプレス成型機で成型し、立体的な山岳地図を得た。得られた画像成型物を図８〜図１０に示す。図において、符号３で示す画像成型物の立体地図は立体感のある地図となった。
【００５５】
（実施例４）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。画像情報パターンはグラビア印刷で商品名をイメージした文字と商品本体を印刷して通常の看板状の印刷物を得た。この印刷物に押出しコーティングラミネーションにより低密度ポリエチレンを積層した。その看板状印刷物の文字と商品本体の印刷部に対応して且同調した凹凸を有する雌型の金型を備えたプラスチック成型用の圧空成型機で成型し、立体的な看板を得た。得られた画像成型物を図１１〜図１４に示す。図において、符号４で示す画像成型物の立体的看板は文字の部分と商品が浮き出て見えるため意匠性に優れる看板となった。
【００５６】
（実施例５）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。画像情報パターンはグラビア印刷で魚のそれぞれ一方の面に対応した一対の印刷物を得た。その印刷物の凹凸に対応して且同調した左右一対の凹凸を有する雌型の金型を対称的に備えたプラスチック成型用の圧空成型機で成型し、左右一対の魚の成型物を得た。得られた成型物を輪郭にそって打抜くことにより、図１５に示す成型物５を得た後、この成型物５を二つ折りして貼合することによって図１６〜図１９において符号６で示すように立体感のある画像成型物の魚が得られた。
【００５７】
（実施例６）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。その伸張紙に実施例５で使用した熱帯魚形状に凹凸を有する雌型の金型を対称的に備えたプラスチック成型用の圧空成型機で成型し、左右一対の熱帯魚の成型物を得た。得られた成型物の凹凸に対応させてクレヨンで任意に着色した成型物を得た。得られた成型物を輪郭にそって打抜き、折り目から二つ折りして貼合することによって実施例５と同様に立体感のある画像成型物の熱帯魚が得られた。
【００５８】
（実施例７）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。画像情報パターンはインクジェット方式のプリンターで自動車の上から見た概略の展開図及び下から見た概略の展開図を印刷した印刷物を得た。その印刷物の展開図に対応して且同調した形状に先端部が丸みのある直径５ｍｍ〜１５ｍｍの様々な木製の棒を用いて凸状になるように押し込み、図２０に示す成型物７、及び図２１に示す成型物８を得た。得られた成型物７，８を輪郭にそって打抜き、立体化させた自動車の上半分の成型物９と下半分の成型物１０とを図２２に示すようにして張り合わせて、図２３に示す画像成型物の自動車の模型１１を作成した。
【００５９】
（実施例８）
画像成型用紙材のベースとなる伸張紙として、坪量１５０ｇ／ｍ２、厚さ２９６μｍ、ＪＩＳ  Ｐ  ８１１３に規定の破断伸びが縦方向２４．６％、横方向１５．３％の紙（イタリヤ国カリオラーロ社製）を用いた以外は実施例３と同様の方法で百合の花びらの１片を印刷し、その花びらに同調した凹凸を有する雄型と雌型とから成る金型を備えたプラスチック成型用のプレス成型機で成型し、図２４に示す立体的な花びら１２を得た。長さ３００ｍｍ、幅２ｍｍの伸張紙を数枚束ねたものの先端２０ｍｍに白色の色紙を、残りに緑色の色紙を巻きつけ茎１３とめしべ１４を作成した。そして、５枚の花びら１２を、めしべ１４の根元に重ねて貼りつけ、図２５に示す画像成型物の百合の造花１５を得た。
【００６０】
（実施例９）
画像成型用紙材のベースとなる伸張紙として、坪量２７５ｇ／ｍ２、厚さ４４０μｍ、ＪＩＳ  Ｐ  ８１１３に規定の破断伸びが縦方向１９．２％、横方向１４．６％の紙（イタリヤ国カリオラーロ社製）を用いた。画像情報パターンはオフセット印刷による絵本の内容の印刷物を得た。その画像情報に対応した凹凸に同調した雌型の金型を有するプラスチック成型用の圧空成型機で成型して得られた図２６に示す成型物１６と裏打ち紙１７とを貼合した後これを製本して、図２７に示す立体化した画像成型物の絵本１８を得た。
【００６１】
（比較例１）
紙基材として坪量２２０ｇ／ｍ２、厚さ２８６μｍ、ＪＩＳ  Ｐ  ８１１３に規定の破断伸びが縦方向２．４％、横方向４．７％の上質紙（日本製紙製）を用いた以外は実施例１と同様にして印刷物と成型物を得た。得られた成型物は一部に亀裂があり、また、凹凸状態も浅く、全体的に立体絵画とは言えない平面的な成型物であった。
【００６２】
（比較例２）
紙基材として坪量２２０ｇ／ｍ２、厚さ２８６μｍ、ＪＩＳ  Ｐ  ８１１３に規定の破断伸びが縦方向２．４％、横方向４．７％の上質紙（日本製紙製）を用いた以外は実施例５と同様にして印刷物と成型物を得た。成型時に全面に亀裂が発生し成型物が得られなかった。
【図面の簡単な説明】
【００６３】
【図１】実施例１において得られた画像成型物の立体画像を示す正面図。
【図２】図１のＡ−Ａ線断面図。
【図３】図１のＢ−Ｂ線断面図。
【図４】実施例２において得られた画像成型物の鬼の面を示す正面図。
【図５】図４に示す画像成型物の鬼の面を上方から見た平面図。
【図６】図４に示す画像成型物の鬼の面を下方から見た平面図。
【図７】図４に示す画像成型物の鬼の面を右側から見た側面図。
【図８】実施例３において得られた画像成型物の立体地図を示す正面図。
【図９】図８に示す画像成型物の立体地図を下方から見た平面図。
【図１０】図８に示す画像成型物の立体地図を右側から見た側面図。
【図１１】実施例４において得られた画像成型物の立体的看板の正面図。
【図１２】図１１に示す画像成型物の立体看板を上方から見た平面図。
【図１３】図１１に示す画像成型物の立体的看板を下方から見た平面図。
【図１４】図１１に示す画像成型物の立体看板を右側から見た側面図。
【図１５】実施例５において、得られた成型物を打抜いたものの正面図。
【図１６】図１５に示す成型物を二つ折りにし貼合して得られた画像成型物の魚の正面図。
【図１７】図１６に示す画像成型物の魚を上方から見た平面図。
【図１８】図１６に示す画像成型物の魚を左側から見た側面図。
【図１９】図１６に示す画像成型物の魚を右側から見た側面図。
【図２０】実施例７において、自動車の上から見た展開図を印刷した印刷物を立体化した成型物を示す斜視図。
【図２１】実施例７において、自動車の下から見た展開図を印刷した印刷物を立体化した成型物を示す斜視図。
【図２２】図２０及び図２１に示す成型物を貼り合わせるときの様子を示す図。
【図２３】図２０及び図２１に示す成型物を貼り合わせて得られた画像成型物の自動車の模型を示す斜視図。
【図２４】実施例８における画像成型物の花びらとめしべと茎を示す斜視図。
【図２５】図２４に示す画像成型物の花びらとめしべと茎を組合せて作成した画像成型物の百合の造花を示す斜視図。
【図２６】実施例９において、オフセット印刷による絵本の内容の印刷物を立体化して得られた成型物と裏打ち紙を示す図。
【図２７】図２６に示す成型物と裏打ち紙とを貼合した後これを製本して得られた画像成型物の絵本を示す斜視図。
【符号の説明】
【００６４】
１  画像成型物の立体画像
２  画像成型物のお面
３  画像成型物の立体地図
４  画像成型物の立体看板
５  成型物
６  画像成型物の魚
７  成型物
８  成型物
９  自動車の上半分の成型物
１０  自動車の下半分の成型物
１１  画像成型物の自動車の模型
１２  花びら
１３  茎
１４  めしべ
１５  画像成型物の百合の造花
１６  成型物
１７  裏打ち紙
１８  画像成型物の絵本
【図１】
2004308100.tif 000003
【図２】
2004308100.tif 000004
【図３】
2004308100.tif 000005
【図４】
2004308100.tif 000006
【図５】
2004308100.tif 000007
【図６】
2004308100.tif 000008
【図７】
2004308100.tif 000009
【図８】
2004308100.tif 000010
【図９】
2004308100.tif 000011
【図１０】
2004308100.tif 000012
【図１１】
2004308100.tif 000013
【図１２】
2004308100.tif 000014
【図１３】
2004308100.tif 000015
【図１４】
2004308100.tif 000016
【図１５】
2004308100.tif 000017
【図１６】
2004308100.tif 000018
【図１７】
2004308100.tif 000019
【図１８】
2004308100.tif 000020
【図１９】
2004308100.tif 000021
【図２０】
2004308100.tif 000022
【図２１】
2004308100.tif 000023
【図２２】
2004308100.tif 000024
【図２３】
2004308100.tif 000025
【図２４】
2004308100.tif 000026
【図２５】
2004308100.tif 000027
【図２６】
2004308100.tif 000028
【図２７】
2004308100.tif 000029